(57)【要約】【課題】薬液収容室を有する成形シートを粘着シート上に剥離可能に貼着してなる救急用絆創膏であって、使用時に薬液収容室を円滑に開封することができると共に薬液を粘着シート上のパッドに確実に含浸させるようにする。【解決手段】上面中央にパッド３を貼着している粘着シート１と平面形状が同一の成形シート４の中央部に、上方に向かって凹部５を膨出形成すると共にこの凹部５の中央部をさらに上方に向かって膨出して薬液収容室６を成形し、この薬液収容室６を二つ折り状態の薬液封止帯状フィルム８によって密封した状態で粘着シート１に剥離可能に貼着し、使用時に成形シート４の一端部に形成している引出口７から薬液封止帯状フィルム８を引き出すことよって薬液収容室６を開封し、該薬液収容室６内の薬液をパッド３に含浸させるように構成している。【選択図】図１
2007275301.tif 000002
【特許請求の範囲】
【請求項１】
上面中央部にパッドを貼着している粘着シートと、中央部に上記パッドを被覆可能な大きさを有する凹部を上方に向かって膨出成形していると共にこの凹部の中央部にさらに上方に向かって薬液収容室を膨出成形し且つ上記凹部の開口端の一端から外部に通じる薬液封止帯状フィルムの引出口を上方に向かって膨出成形している成形シートと、この成形シートの上記凹部内に二つ折り状態で配設されてその上側のフィルム部の上面外周部を凹部に剥離可能に貼着することよりその上面中央部で上記薬液収容室内の薬液を密封していると共に下側のフィルム部の端部を凹部から上記引出口内を通じて外部に臨ませている引出片部に形成している薬液封止帯状フィルムとからなり、上記粘着シート上に上記成形シートをその薬液収容室がパッドの中央部上に位置するように重ね合わせて該成形シートの下面外周部をこの粘着シートの外周部上面に剥離可能に貼着していることを特徴とする救急用絆創膏。
【請求項２】
成形シートにおける薬液封止帯状フィルム引出口の端部に薬液封止帯状フィルムの端部上面を外部に露出させている引出用切欠部を形成していることを特徴とする請求項１に記載の救急用絆創膏。
【請求項３】
薬液封止帯状フィルムの引き剥がし開始端側の薬液収容室の端部を先細形状に形成していることを特徴とする請求項１に記載の救急用絆創膏。
【請求項４】
薬液封止帯状フィルムの引出口側の下面と粘着シートの上面との間に離型紙を介在させていることを特徴とする請求項１に記載の救急用絆創膏。
【発明の詳細な説明】
【技術分野】
【０００１】
本発明は、使用時に薬液をパッドに含浸させたのち、該パッドを創傷口等の患部の皮膚面に貼着して患部の治療や消毒等を行うようにした救急用絆創膏の改良に関するものである。
【背景技術】
【０００２】
従来から、創傷部等の患部をより効果的に消毒、治療を行う救急用絆創膏として、粘着シート上に貼着しているパッドに薬液を含浸させたのち、このパッドを患部に貼着して使用するものが知られている。例えば、薬液を封入してなるカプセル体をパッドの上面に重ね合わせ、使用時に該カプセル体の上部を下方に向かって押圧、変形させることによってその上部の内面に下方に向かって突設している先端が先鋭な突起でカプセル体の底面を形成しているアルミ箔製の薄膜を破壊し、カプセル体内の薬液をパッド上に流出、含浸させるように構成した救急用絆創膏が一般に知られている。
【０００３】
しかしながら、カプセル体の底面を形成しているアルミ箔製の薄膜上面に近接させた状態にして、カプセル体の上部内面に先端が先鋭な突起を設けておくと、取扱時や携行中等にカプセル体の上面に僅かな押圧力が作用しても薄膜片が突起により破壊され、不使用時にもかかわらず内部の薬液がカプセル体から漏出してパッド内に含浸し、製品としての用を足さなくなるという問題点があった。
【０００４】
このため、本願出願人等は特許文献１や特許文献２に記載されているように、使用時には押圧することなくカプセル体等の薬液封入室の開口下端部を閉止しているアルミ箔等の薄膜密閉片を開放するように構成した救急用絆創膏を開発した。この救急用絆創膏は、薄膜密閉片を長い帯状形状に形成してその先端部により薬液封入室の下端開口部を閉止させると共にこの薄膜密閉片を下方に折り重ねた状態にして該薬液封入室を粘着シートの上面中央部に貼着したパッド上に載置し、この薬液封入室を粘着シートの長さ方向の両端部上に剥離可能に貼着した剥離紙によって保持させると共に上記薄膜密閉片の他端部を薬液封入室の端部と剥離紙との重ね合わせ部に設けている引出口から引抜片として外部に突出させる構造とを有している。
【０００５】
そして、使用時には、引抜片を引っ張ることによって薬液封入室の開口下端部を閉止している薄膜密閉片の一端部を剥離し、薬液封入室の下端部を開放して内部の薬液をパッドに含浸させるようにしている。
【特許文献１】登録実用新案第１８９３５３３号公報
【特許文献２】特開２００５−２８８０８０号公報
【発明の開示】
【発明が解決しようとする課題】
【０００６】
しかしながら、上記のような救急用絆創膏の構造では、薬液封入室は粘着シートに貼着されておらず、単に、パッド上に載置されているにすぎないために、この薬液封入室を固定する手段を必要とし、そのため、粘着シートに貼着している剥離紙の一方に薬液封入室を保持する保持孔を設けているが、このような構造では剥離紙と薬液封入室とが一体に接続しているだけで薬液封入室はパッドから簡単に遊離し、薬液封入室を下方に向けた状態にするとこの薬液封入室の自重によって剥離紙が徐々に剥がれて薬液封入室が外れてしまい、商品としての形態が保持できなくなる虞れがあった。
【０００７】
さらに、使用に際しては、薬液封入室を設けていない通常の救急絆創膏と同様に剥離紙を剥がしたのち使用しようとする虞れがあり、そうすると、パッド上から薬液封入室が落下してパッドに対して薬液を含浸させることができなくなるといった問題点が発生する。また、薬液封入室の下端開口部を閉止している帯状の薄膜密閉片の端部を引っ張って薬液封入室を開封しようとすると、薬液封入室を指先でパッド上に押さえて固定した状態にしなければ、薬液封入室が薄膜密閉片の引張力によってその引張方向にパッド上を摺動移動し、パッドの中央部に薬液を正確に含浸させることができなくなる問題点も生じる。その上、この薄膜密閉片が薬液封入室の下面とパッドの上面間に隙間なく挟持された状態となっているので、パッドの上面との摩擦による引抜き抵抗が生じ、この抵抗力が上述したように、薬液封入室を指先でパッド上に押さえ込んでいる場合には、益々増大して開封操作が円滑に行えなくなる等の問題点があった。
【０００８】
本発明は上記のような問題点に鑑みてなされたもので、その目的とするところは、薬液収容室をパッド上から不測に離脱させることなく粘着シート上に剥離可能に確実に固定、保持しておくことができると共に、使用時には、剥離紙などの剥離を不要にして薬液収容室内の薬液を薬液封止帯状フィルムの引抜きによってパッドに正確に含浸させることができ、さらに、薬液封止帯状フィルムの引抜きが円滑に行えるようにした救急用絆創膏を提供するにある。
【課題を解決するための手段】
【０００９】
上記目的を達成するために本発明の請求項１に係る救急用絆創膏は、上面中央部にパッドを貼着している粘着シートと、中央部に上記パッドを被覆可能な大きさを有する凹部を上方に向かって膨出成形していると共にこの凹部の中央部にさらに上方に向かって薬液収容室を膨出成形し且つ上記凹部の開口端の一端から外部に通じる薬液封止帯状フィルムの引出口を上方に向かって膨出成形している成形シートと、この成形シートの上記凹部内に二つ折り状態で配設されてその上側のフィルム部の上面外周部を凹部に剥離可能に貼着することよりその上面中央部で上記薬液収容室内の薬液を密封していると共に下側のフィルム部の端部を凹部から上記引出口内を通じて外部に臨ませている引出片部に形成している薬液封止帯状フィルムとからなり、上記粘着シート上に上記成形シートをその薬液収容室がパッドの中央部上に位置するように重ね合わせて該成形シートの下面外周部をこの粘着シートの外周部上面に剥離可能に貼着した構造を有している。
【００１０】
このように構成した救急用絆創膏において、請求項２に係る発明は、上記成形シートにおける薬液封止帯状フィルム引出口の端部に、薬液封止帯状フィルムの端部上面を外部に露出させた引出用切欠部を形成していることを特徴とする。
【００１１】
さらに、請求項３に係る発明は、上記薬液封止帯状フィルムの引き剥がし開始端側の薬液収容室の端部を先細形状に形成していることを特徴とし、請求項４に係る発明は、薬液封止帯状フィルムの引出口側の下面と粘着シートの上面との間に離型紙を介在させていることを特徴とする。
【発明の効果】
【００１２】
請求項１に係る発明によれば、上面中央部にパッドを貼着している粘着シートに、中央部にパッド上に対応させて薬液収容室を有する成形シートを重ね合わせて該成形シートの下面外周部を粘着シートの外周部上面に剥離可能に貼着しているので、パッド上の正確な位置に薬液収容室を載置させた状態で粘着シートと成形シートとが貼着した構造となってパッド上から不測に薬液収容室が妄動したり遊離したりすることのない救急用絆創膏を提供することができる。
【００１３】
さらに、上記成形シートは、その中央部に上記パッドを被覆可能な大きさを有する凹部を上方に向かって膨出成形していると共にこの凹部の中央部にさらに上方に向かって薬液収容室を膨出成形してあり、この凹部内に二つ折り状態で配設している薬液封止帯状フィルムの上側のフィルム部で薬液収容室を密封すると共に薬液封止帯状フィルムを介して凹部内に粘着シート上のパッドを配設した構造としているので、粘着シート上に成形シートを重ね合わせて貼着しているにもかかわらず、該パッドや薬液封止帯状フィルムおよび薬液収容室に無理な挟圧力を作用させることなく、パッドを凹部内に所定の形態でもって安定した状態で収納、保持しておくことができる。
【００１４】
その上、上記成形シートの一端部に、凹部の開口端の一端から外部に通じる薬液封止帯状フィルムの引出口を上方に向かって膨出成形しているので、該薬液封止帯状フィルムを凹部内に配設していることとあいまって、パッドと薬液封止帯状フィルムとの摩擦力を極めて小さくすることができ、従って、薬液封止帯状フィルムを僅かな引張力でもって軽く引っ張るだけで薬液収容室を開封することができると共にこの薬液封止帯状フィルムの引出しも円滑且つ確実に行え、薬液収容室内の薬液をパッド内に確実に含浸させることができる。
【００１５】
また、請求項２に係る発明によれば、上記成形シートにおける薬液封止帯状フィルム引出口の端部に薬液封止帯状フィルムの引出片部の上面を外部に露出させている引出用切欠部を形成しているので、不使用時には薬液封止帯状フィルムの端部によって形成している上記引出片部を上記引出口から外部に突出させることなく、この引出口内に没入させた状態で配設しておくことができ、従って、薬液封止帯状フィルムが不測に引っ張られて薬液収容室を開封するのを防止しておくことができると共に、使用時には該引出用切欠部に指先を押しつけた状態で引出口に沿って引出し方向に張引することにより、容易に薬液収容室を開封することができる。
【００１６】
請求項３に係る発明によれば、上記薬液封止帯状フィルムの引き剥がし開始端側における薬液収容室の端部を先細形状に形成しているので、薬液封止帯状フィルムの剥離開始時には、該薬液収容室の端部を僅かに開口させた状態にして薬液を急激に流出させることなく、まず、パッドの端部中央に確実に含浸させることができ、この状態から薬液封止帯状フィルムの剥離の進行によって薬液収容室の下端開口部を大きく開口させて薬液をパッド外に漏出させることなく該パッド全体に略均一に含浸させることができ、この状態にしてパッドを創傷部等の患部に当てがって該患部の消毒、治療を効果的に行うことができる。
【００１７】
請求項４に係る発明によれば、上記薬液封止帯状フィルムの下面と粘着シートの上面との間に離型紙を介在させているので、薬液封止帯状フィルムを引き出して薬液収容室内の薬液をパッドに含浸させたのち、この離型紙を設けている部分から成形シートを簡単且つ確実に剥離、除去することができ、さらに、この離型紙によって粘着シートの粘着シートの端部が被覆されているから、この部分を指先で摘んで離型紙を設けていない粘着シートの端部側を患部近傍部の皮膚面に貼着したのちパッドを患部上に貼着する作業が簡単且つ正確に行うことができる。
【発明を実施するための最良の形態】
【００１８】
次に、本発明の具体的な実施の形態を図面について説明すると、図１は救急用絆創膏の縦断側面図、図２は斜視図、図３は展開斜視図で、これらの図において、救急用絆創膏の基体となる粘着シート１は、柔軟性を有する薄い合成樹脂製シート又は不織布、織布、紙等からなる一定幅と一定長さを有する長方形状のシート片の上面全面に粘着剤層２を層着してなり、この粘着シート１の上面中央部に、殺菌消毒された一定厚みを有する不織布又はガーゼ等の布帛からなる平面矩形状のパッド３を貼着してあり、このパッド３を粘着シート１の粘着剤層２に剥離可能に貼着した成形シート４の中央部に設けている凹部５によって被覆している。
【００１９】
この成形シート４は、上記粘着シート１と同一幅、同一長さ、即ち、粘着シート１と同一大きさの平面長方形状に形成された透明ないしは半透明のポリプロピレン等の比較的剛性を有する合成樹脂シートからなり、その中央部に上記パッド３の平面形状よりも一回り大きい平面形状とパッド３の厚みに略等しい高さ（深さ）を有してパッド３を被覆可能な大きさの上記凹部５を上方に向かって膨出成形していると共に、この凹部５の中央部をさらに上方に向かって膨出させてパッド３よりも平面形状が一回り小さい薬液収容室６を形成してあり、この凹部５の下端開口部の一端部から成形シート４の一端に亘ってこの凹部５と同一幅で且つ高さ（深さ）が後述する薬液封止帯状フィルム８の厚みよりも大きい高さでもって外部に通じる引出口７を形成している。即ち、粘着シート１と成形シート４との長さ方向の一端部における幅方向の中央部の対向面間に、凹部５の下端開口部の一端から外部に連通する薬液封止帯状フィルム８の引出口７を形成している。さらに、この引出口７の開口端部における成形シート４の一端部中央を半円形状に切欠いて薬液封止帯状フィルム８の後述する引出片部8cの上面を露出させた引出用切欠部7aに形成している。
【００２０】
薬液封止帯状フィルム８は柔軟で引張強度の大きい薄肉の可撓性合成樹脂フィルムからなり、その幅が上記凹部５の対向側壁面間の幅に略等しい幅か又は僅かに狭い幅を有し、且つ、長さが凹部５の長さの２倍よりも上記引出口７の長さに相当する長さだけ長く形成されてあり、この薬液封止帯状フィルム８の一端部が引出口７の長さに略等しい長さ部分だけ突出した状態となるように該薬液封止帯状フィルム８を長さ方向の中央部から二つ折りし、突出部を有していない長さ部分を上側にし且つ屈折部を成形シート４の長さ方向の他端部側に向けた状態にしてこの二つ折り状態の薬液封止帯状フィルム８を凹部５内に配設し、その上側フィルム部8aの上面外周部を薬液収容室６の下端開口縁から四方に水平状に屈折形成されている凹部５の上端外周壁下面に粘着剤層９を介して剥離可能に貼着して該上側フィルム部8aの上面中央部で上記薬液収容室６内に収容されている薬液10を密封している。
【００２１】
さらに、上側フィルム部8aの下面に屈折部を介して重ね合わせている下側フィルム部8bにおける一端部、即ち、重ね合わせ部から突出している端部を引出片部8cとしてこの引出片部8cを、凹部５の開口下端の一端から上記引出口７内に挿入し、その先端部を引出口７から外部に突出させることなく上面を上記引出用切欠部7aに露出させた状態で引出口７内から引出し可能に配設している。
【００２２】
また、上記粘着シート１上の中央部に貼着しているパッド３の一端面から粘着シート１の一端間における粘着剤層２を剥離可能な離型紙11により被覆してあり、上記薬液封止帯状フィルム８の下側フィルム部8bを粘着シート１の粘着剤層２に付着させることなく、この離型紙11上を介してその引出片部8cを引出口７内に挿入している。なお、離型紙11はパッド３の一端面に突き合わせ状態に対向させている他端部を上側に折り返して摘まみ片11a に形成している。
【００２３】
このように、成形シート４に設けている薬液収容室６を凹部５内に二つ折り状態で配設した薬液封止帯状フィルム８の上側フィルム部8aによって密封し、この状態で該成形シート４の一半部側を上記離型紙11とこの離型紙11上の薬液封止帯状フィルム8bの一半部を介して粘着シート１上に重ね合わせると共に、成形シート４の他半部外周下面をパッド３の両側端面から外側方に露出している粘着シート１の両側部の粘着剤層２とパッド３の他端面から外方に露出している粘着剤層２の他端部に剥離可能に貼着することにより、凹部５によってパッド３を被覆し、且つ、このパッド３の中央部上に薬液封止帯状フィルム８を介して薬液収容室６を載置状態で配設した救急用絆創膏を構成している。
【００２４】
このように構成した救急用絆創膏は、使用前においては薬液封止帯状フィルム８によって密封されている薬液収容室６を有する成形シート４は、その他半部側の３方の外周縁部の下面を粘着シート１の粘着剤層２に貼着されているので、成形シート４に設けている該薬液収容室６は粘着シート１から外れたりする虞れはなく、粘着シート１上に貼着したパッド３上に重ね合わされた形態を保持しておくことができると共に、パッド３は成形シート４の凹部５内に受け入れられているので、その上面外周部を薬液封止帯状フィルム８を介して薬液収容室６の開口下端の外周縁部に軽く押し付けた状態でパッド３の中央部上に薬液収容室６を位置させておくことができる。さらに、成形シート４は剛性を有する合成樹脂シートからなるので、容易に折れ曲がったり皺状に変形したりすることなく安定した所定の形態を保持しておくことができる。
【００２５】
次に、使用に際しては成形シート４の引出口７における開口端部の一端部上面に形成した切欠部7aを通じて外部に露出している薬液封止帯状フィルム８の引出片部8cを引出口７と共に指先で摘みながら外方に引っ張ると、該引出片部8cが引出口７の開口端から外部に引き出されるからこの引き出された端部を摘んでさらに引出片部8cを外方に引っ張ると、図４に示すように、薬液封止帯状フィルム８の下側フィルム部8bがパッド３上を摺動しながら引出口７側に引き出されるに従って上側フィルム部8aが屈折部を介して下側に反転移動し、凹部５の上端外周壁下面に層着している粘着剤層９から剥離しながら薬液収容室６の下端を他端側から徐々に開封していく。
【００２６】
この際、パッド３及び薬液収容室６は凹部５内に収容されていて粘着シート１と成形シート４との対向面による挟圧力が極めて小さく、且つ、薬液封止帯状フィルム８の引出片部8cも上記一定の上下開口幅を有する引出口７に挿入されているので、薬液封止帯状フィルム８を小さな引張力でもって軽快に開封することができる。
【００２７】
このように、薬液収容室６が徐々に開封されるに従って、その室内の薬液10をパッド３内にその他端部側から一端部側に向かって含浸させ、図５に示すように、薬液封止帯状フィルム８が完全に引出口７から外部に引き出されると、粘着シート１に粘着剤層２に貼着するのを離型紙11によって防止されている成形シート４の一端部側から該成形シート４を粘着シート１に対して剥離、除去し（図６参照）、ついで、離型紙11を摘んでパッド３を創傷口等の患部に当てがうと共にこの離型紙11を設けていない粘着シート１の粘着剤層２を該患部の周囲の皮膚面に貼着し、しかるのち、粘着剤層２から離型紙11を剥離しながら該粘着剤層２を皮膚面に貼着することにより、粘着シート１に皺を生じさせることなく、患部に簡単且つ正確に貼着することができる。
【００２８】
なお、以上のように構成した救急用絆創膏において、薬液封止帯状フィルム８の上側フィルム部8aを貼着させている凹部５の上端外周壁下面に層着した粘着剤層９としては、その引き剥がし開始端部側の粘着剤層部分を、図３に示すように、薬液収容室６の開封開始端部側に向かって徐々に幅広くなる山形状の粘着剤層部9aに形成しておくことが望ましく、このように形成しておけば、薬液収容室６を密封している薬液封止帯状フィルム８の上側フィルム部8aを剥離する際に、その幅方向の中央から剥離を開始して、簡単且つ正確な剥離が可能となる。
【００２９】
また、薬液収容室６はその全長に亘って同一幅の長方形状に形成しておいてもよいが、上記図３に示すように、開封開始側の端部（他端部）を上記粘着剤層部9aと同様に開封されるに従って徐々に幅広くなる山形状の端部6aに形成しておくことが望ましい。このように形成しておくと、薬液収容室６を密封している薬液封止帯状フィルム８の上側フィルム部8aを剥離して薬液収容室６を開封する際に、まず、薬液収容室６の幅狭い平面山形状の端部6aの先端部が開封されて薬液10の流出を少量にしながらがパッド３の対向端部に含浸させ、開封が進行するに従って薬液収容室６からの薬液10の流出量を増大させてパッド３の中心部に薬液10を集中的に含浸させると共に含浸した薬液10をパッド３の四方に浸透させ、パッド３から薬液10を漏出させることなく、パッド３全体に薬液10を均一に含浸させることができる。
【図面の簡単な説明】
【００３０】
【図１】救急用絆創膏の縦断側面図。
【図２】その斜視図。
【図３】その展開斜視図。
【図４】薬液封止帯状フィルムを引き出している状態の縦断側面図。
【図５】引出し終了後の縦断側面図。
【図６】患部に貼着する状態を示す縦断側面図。
【符号の説明】
【００３１】
１    粘着シート
２    粘着剤層
３    パッド
４    成形シート
５    凹部
６    薬液収容室
７    引出口
８    薬液封止帯状フィルム
９    粘着剤層
１０    薬液
１１    離型紙
【図１】
2007275301.tif 000003
【図２】
2007275301.tif 000004
【図３】
2007275301.tif 000005
【図４】
2007275301.tif 000006
【図５】
2007275301.tif 000007
【図６】
2007275301.tif 000008